(57)【要約】【課題】  大がかりな工事を必要とせずに、家具や内装材等から発生する有害化学物質を空気中から除去して、居住空間および収納具内部の環境を改善することができるような収納具を提供する。【解決手段】  化学物質吸着材２が、家具やクローゼット等の収納具１の内側および外側の両方の空間と接するようにして、収納具１を構成する部材のうち少なくとも一個所に着脱自在に取り付けられている。【選択図】      図２
2005192720.tif 000002
【特許請求の範囲】
【請求項１】
化学物質吸着材が、収納具を構成する部材のうち少なくとも一個所に着脱自在に取り付けられているとともに、前記化学物質吸着材の少なくとも一部分が、前記収納具の内側および外側の空間と接していることを特徴とする有害化学物質を吸着する収納具。
【請求項２】
化学物質吸着材が、収納具の扉に着脱自在に取り付けられているとともに、該扉に複数の孔があけられて、前記化学物質吸着材の少なくとも一部分が、該扉の内側および外側の空間と接していることを特徴とする請求項１に記載の有害化学物質を吸着する収納具。
【請求項３】
前記化学物質吸着材は、前記収納具の少なくとも１つの面に分割して装着されたことを特徴とする請求項１又は２に記載の有害化学物質を吸着する収納具。
【発明の詳細な説明】
【技術分野】
【０００１】
本発明は、建材や家具等から発生する有害な揮発性化学物質を吸着し、空気中の有害化学物質の量を低減させる機能を有する収納具に関するものである。ここで収納具とは、ロッカーや机等の移動可能な家具や、建物に備え付けのクローゼットや下駄箱などを含み、素材として金属又は木材あるいは樹脂材料などを用いたものである。
【背景技術】
【０００２】
近年、フローリング材等の内装材や家具等の接着剤に含まれるホルムアルデヒド、可塑剤や仕上げ剤等に含まれる揮発性有機化合物、塗料や接着剤の溶剤として用いられるトルエンやキシレン等、建材や家具等から放出される様々な有害化学物質によって、室内環境が汚染されている。
【０００３】
これらの揮発性化学物質を多量に吸い込むと、中枢神経に作用して目眩や頭痛、吐き気等をもよおすことがあり、人体に多大な悪影響を及ぼす場合がある。殊に家庭や学校においては、有害化学物質に汚染された室内で毎日長時間過ごすことによって、シックハウス或いはシックスクールと呼ばれる化学物質過敏症の患者が多発しており、大きな社会問題となっている。
【０００４】
そのため、建築基準法や日本工業規格等が改正され、室内空気中の有害化学物質の抑制についての具体的指針が示されて、建築施工終了時には、内外装材や塗装等に関して所定の化学物質の測定が行われるようになってきている。
【０００５】
また、建物を施工する際には、有害な化学物質をなるべく使用しない建築材料や工法を採用したり、例えば珪藻土等を原料とする化学物質吸着材を内装材に用いて室内の有害化学物質を吸着させ、室内環境の改善を図ったりすることが行われている。
【０００６】
ところが、既に完成した建築物の中から有害化学物質が検出された場合、壁や天井を取り替えて化学物質吸着材を取り付けるには、大がかりな工事と多額のコストを必要としていた。しかも、一旦施工した化学物質吸着材は、容易に取り替えることができなかった。
【０００７】
また、ロッカー等の家具や什器類、あるいはクローゼット等の収納具には、通常、接着剤が用いられたり、耐久性向上や防錆および美観等を目的とする塗装が行われるが、これらの接着剤や塗料から有機溶剤が揮発することがあり、このような収納具を設置することによって、室内が有害化学物質で汚染されることがあった。そのため、建材と同様に、収納具に関しても有害化学物質を除去する手段が求められていた。
【０００８】
特許文献１においては、木製家具に珪藻土塗装溶液を塗布することによって、有害化学物質の発散を抑制することを図った家具が提案されており、これによると、家具内部からの化学物質の発散を抑えることができるものの、家具の外側に発生している化学物質を吸着する効果は有していなかった。
【０００９】
また、特許文献２においては、収納具の扉の裏面に揮発性化学物質を吸着する板体を取り付けたものが提案されているが、これも、収納具の内側の空気のみを浄化させるものであり、収納具の外側である室内空間に対して効果を発揮するものではなかった。
【特許文献１】特開２０００−１７６３７０号公報
【特許文献２】特開２００３−２０８７８号公報
【発明の開示】
【発明が解決しようとする課題】
【００１０】
本発明が解決しようとする問題点は、前述のように、建築材料や収納具等から発生する揮発性有害化学物質は人体に多大な悪影響を及ぼすということであり、大がかりな工事を必要とせずに、有害化学物質を空気中から除去して、居住空間および収納具内部の環境を改善することができ、この場合に収納具内部に有害化学物質吸着材を設けて収納具内部の空気を清浄化するばかりでなく、収納具外部の空気を清浄化でき、しかもこの有害化学物質吸着材を容易に交換可能な収納具を提供することを目的とする。
【課題を解決するための手段】
【００１１】
そこで、上記の問題を解決するために、請求項１の発明は、化学物質吸着材が、収納具を構成する部材のうち少なくとも一個所に着脱自在に取り付けられているとともに、前記化学物質吸着材の少なくとも一部分が、前記収納具の内側および外側の空間と接していることを特徴とする有害化学物質を吸着する収納具を提供する。
【００１２】
請求項２の発明は、化学物質吸着材が、収納具の扉に着脱自在に取り付けられているとともに、該扉に複数の孔があけられて、前記化学物質吸着材の少なくとも一部分が、該扉の内側および外側の空間と接していることを特徴としている。
請求項３の発明は、前記化学物質吸着材は、前記収納具の少なくとも１つの面に分割して装着されたことを特徴としている。
【発明の効果】
【００１３】
請求項１の発明によると、ロッカー等の家具や什器、あるいはクローゼット等の収納具に塗装剤や接着剤が使用された場合に発生する化学物質、および建築の内装材等から発生して室内の空気中に存在する揮発性化学物質の両方が、収納具に取り付けられた化学物質吸着材に吸着されることによって、収納具の内側および収納具の外側である居住空間の環境改善を図ることができる。
【００１４】
しかも、化学物質を除去するために電力等のエネルギーを必要とせず、ランニングコストがかからない。
【００１５】
また、化学物質吸着材が着脱自在に取り付けられているので、吸着効果が低下したとき等には容易に取り替えることができ、常に安定した吸着効果を持続させることができる。
【００１６】
そして、請求項２の発明によると、上記の請求項１の発明の効果に加えて、化学物質吸着材が収納具の扉自体の内部に着脱自在に取り付けられることにより、着脱交換作業が容易にできるとともに、強度的に安定したものとなる。
請求項３の発明によれば、化学物質吸着材を分割して取付けるため、個々の分割体の形状が小さくなって取扱い性が向上し、着脱交換作業が容易にできるとともに、一部が破損した場合等に容易に対処できる。
【発明を実施するための最良の形態】
【００１７】
図１乃至図４は、本発明の実施の形態の一例を示し、収納具１（この例では金属製ロッカー）の扉１１の内部に化学物質吸着材２が取り付けられたものである。
【００１８】
収納具１の扉１１の外側および内側それぞれの板材１２，１３の間には、受け金具３や留め金具４、或いはねじ（図示省略）等によって化学物質吸着材２が固定されている。化学物質吸着材２は、接着剤等の化学物質を使用せずに取り付けられ、必要に応じて取り替え等を行うために、容易に脱着できるような固定手段が用いられる。
【００１９】
そして、化学物質吸着材２が収納具１の内側と外側の両方の空気に接触できるように、板材１２，１３には、多数の孔１０があけられている。この孔１０の形状や大きさは図１に示した例に限らず、適宜デザインすることによって、扉１１の意匠性を高めることができる。
【００２０】
収納具１の素材としては、収納具１自体が有害化学物質の発生源とならないために、塗装過程を必要とせずに耐食性や耐久性に優れたものが好ましく、ステンレスやアルミニウム、チタン、ガルバニウム鋼板等の金属や、低価格な亜鉛めっき鋼板が用いられる。また、金属以外にも木製の素材あるいは樹脂材料を素材とする収納具であってもよい。スチールは、通常、防錆や美観のためにメラニン塗装が施されるが、化学物質吸着材２によって化学物質を十分に吸着できる場合には、スチールを用いても構わない。また、これらの金属に塗装する場合には、有害化学物質を発生しない粉体塗装とすることが好ましい。
【００２１】
また、本発明で用いられる化学物質吸着材２は、望ましくは自然素材を主原料とする化学物質吸着材、例えば珪藻土などを主原料とし、板状に成形されて環境調整用内装材として一般に使用されているものが用いられる。
【００２２】
化学物質吸着材２は、切断や孔あけ等の加工を容易に行うことができるので、取り付ける空間に合わせて切断し、受け金具３にはめ込んだり、取付孔をあけてねじ等の固定具を差し込んだりすることによって、化学物質である接着剤を使用せずに取り付けることができる。従って、本発明の実施によって新たな有害化学物質を発生することがない。尚、化学物質吸着材２は構造体としての強度を有していないので、十分な強度を有する金属その他の素材からなる収納具１に取り付けて用いることが好ましい。
【００２３】
そして、矩形板状の化学物質吸着材２を複数枚（図２の例では上下に４枚）取り付ける場合、各化学物質吸着材２の上下両辺に図３に示すようにコ字断面の受け金具３を装着することにより、化学物質吸着材２が補強されるとともに収納具１自体の強度も高まる。このような補強用の受け金具３は、左右の側辺にも同様に装着してもよい。このように収納具１の１つの面全体に取付ける化学物質吸着材２を複数に分割して装着することにより、分割された化学物質吸着材の形状が小さくなって取扱いやすくなり、着脱作業が容易にできるとともに、一部が破損した場合等にその部分だけを交換することができ容易に対処できる。
【００２４】
このようにして、収納具１の扉１１に取り付けた化学物質吸着材２を、扉１１の内側即ち収納具１の内部と、扉１１の外側即ち室内空間との両方の空気に接触させることにより、収納具１から発生する化学物質、および室内の内装材等から発生する化学物質の両方を吸着させることができる。また、化学物質吸着材２は、有害な揮発性化学物質を吸着する他にも、吸放湿による湿度調整機能を有し、周囲の相対湿度を６０％前後に保つので、人体にとって快適であるとともに、高湿状態で発生しやすいダニやカビを防いだり、低湿状態において活動が活発になるウイルスの繁殖を防いだりすることができる。更に、においの原因物質を吸着する効果があるので、収納具１および室内の脱臭効果が得られる。従って、収納具１に収納する物品を保護するとともに、居住空間におけるさまざまな環境の改善を行うことができる。
【００２５】
尚、化学物質吸着材２を取り付けるのは収納具１の扉１１に限らず、例えば扉のない棚や各種什器等の収納具においては、天板や側板、裏板等に取り付けても構わない。扉のない収納具の場合には、収納具の内部と室内の居住空間とが同一空間となるため、化学物質吸着材２が収納具内部の空気と接していれば、収納具内部と同時に居住空間内の化学物質を吸着することができる。
【００２６】
図５および図６は本発明の異なる実施の形態を示すものであり、室内に備え付けられたクローゼット１ａの木製の扉１１ａ自体の内部に化学物質吸着材２が取り付けられたものである。
【００２７】
この場合にも、前述の場合と同様、接着剤等の化学物質を使わずに化学物質吸着材２が着脱自在に取り付けられるとともに、扉１１ａの内側と外側の板材に多数の孔１０があけられて、化学物質吸着材２がクローゼット１ａの内側と外側の両方の空間と接するようにされる。こうして、クローゼット１ａ内外の空気を浄化すると同時に、化学物質吸着材２の調湿効果や消臭効果によって、クローゼット１ａ内に収納された物品をカビや悪臭等から保護することができる。
【産業上の利用可能性】
【００２８】
上記のように、本発明は、箪笥や書棚のような設置型の家具や、ロッカーや机、展示棚等の什器、およびクローゼットや下駄箱等のような建物に据え付けられた収納部に関して実施することができる。
さらに、図書館などの書架の側板に組込むこともできる。また、家庭のキッチンシステムなどの扉に取付けてキッチン収納部と室内空間の両方の環境改善を図ることもできる。
【図面の簡単な説明】
【００２９】
【図１】本発明の実施の形態を示す正面図。
【図２】図１のＡ−Ａ線に沿った縦断面図。
【図３】図２の扉部分の部分拡大図。
【図４】扉部分の横断面の部分拡大図。
【図５】本発明の異なる実施の形態を示す正面図。
【図６】図５のＢ−Ｂ線に沿った横断面図。
【符号の説明】
【００３０】
１：収納具、２：化学物質吸着材、３：受け金具、４：留め金具、１０：孔、
１１：扉、１２，１３：板材。
【図１】
2005192720.tif 000003
【図２】
2005192720.tif 000004
【図３】
2005192720.tif 000005
【図４】
2005192720.tif 000006
【図５】
2005192720.tif 000007
【図６】
2005192720.tif 000008